(57)【要約】【課題】窓、あるいは窓に隣接した高い位置に取り付けても、低い位置からでも容易に操作できる窓用ロック装置を提供すること。【解決手段】左右方向にスライド移動して開閉させる窓の開放方向への移動を規制するために使用され、窓の上部近傍に設置される窓用ロック装置において、収容筒９に進退可能に収納されたロッド１７の第１のレバー１８に第１の編み上げ紐１９を連結し、ロッド１７の進出方向に沿って延出させプーリー１４で下方に方向転換させるようにする。小ケース部１０内にはロッド１７を進出位置で保持させる揺動プレートが収容され第１の編み上げ紐１９を牽引することで任意の進出位置でロッド１７は保持される。揺動プレートに連動する第２のレバー２６を第２の編み上げ紐２９で牽引することで揺動プレートによる保持力は開放されて収容筒９内のばねの付勢力によってロッド１７は後退する。【選択図】  図１
0003173964.tif 000002
【実用新案登録請求の範囲】
【請求項１】
左右方向にスライド移動して開閉させる窓の開放方向への移動を規制するために使用され、規制対象の窓の上部近傍に設置される窓用ロック装置において、
ロッドと、
設置位置に設置された状態で、前記規制対象の窓に対して前記ロッドを進退可能に支持する支持手段と、
前記ロッドの側面位置にその基部が固着された第１のレバーと、
前記第１のレバーに連結され、前記ロッドの進出方向に沿って延出される長尺状の第１の牽引部材と、
前記第１の牽引部材の延出方向を下方に方向転換させる方向転換手段と、
前記ロッドを進出位置で保持する保持手段と、
前記保持手段による保持状態を解除させるための第２のレバーと、
前記第２のレバーに連結され、下方に牽引することで前記第２のレバーを動作させて進出位置で保持状態にある前記ロッドの前記保持手段を解除させる長尺状の第２の牽引部材と、
進出させた前記ロッドによって付勢力を付与され前記保持手段の解除に伴って得られた付勢力によって前記ロッドを進出前の位置に復帰させる付勢部材とを備え、
ロックを行う際には前記第１の牽引部材を牽引して前記ロッドを進出させ、規制対象の窓側の干渉体に干渉する位置まで進出させ、その進出位置で前記保持手段によって前記ロッドを保持させてロック状態とするとともに、ロックを解除する際には前記第２の牽引部材を牽引して前記第２のレバーを動作させ前記保持手段による保持状態を解除させ前記付勢部材によって前記ロッドを進出前の位置に復帰させるようにしたことを特徴とする窓用ロック装置。
【請求項２】
前記方向転換手段は前記第１の牽引部材を巻回させて同第１の牽引部材の延出方向を下方に方向転換させるための外側に凸な湾曲部を有する方向転換部材であることを特徴とする請求項２に記載の窓用ロック装置。
【請求項３】
前記方向転換部材は回転体であることを特徴とする請求項２に記載の窓用ロック装置。
【請求項４】
左右方向にスライド移動して開閉させる窓の開放方向への移動を規制するために使用され、規制対象の窓の上部近傍に設置される窓用ロック装置において、
ロッドと、
設置位置に設置された状態で、前記規制対象の窓に対して前記ロッドを進退可能に支持する支持手段と、
前記ロッドの側面位置にその基部が固着された第１のレバーと、
前記第１のレバーに連結され、前記ロッドの進出方向に沿って延出される長尺状の第１の牽引部材と、
前記第１の牽引部材が連結される回転部材と、
前記回転部材に連結され、同回転部材の回転中心よりも前記ロッドの進出方向側に偏倚した位置に連結され下垂される長尺状の第３の牽引部材と、
前記ロッドを進出位置で保持する保持手段と、
前記保持手段による保持状態を解除させるための第２のレバーと、
前記第２のレバーに連結され、下方に牽引することで前記第２のレバーを動作させて進出位置で保持状態にある前記ロッドの前記保持手段を解除させる長尺状の第２の牽引部材と、
進出させた前記ロッドによって付勢力を付与され前記保持手段の解除に伴って得られた付勢力によって前記ロッドを進出前の位置に復帰させる付勢部材とを備え、
ロックを行う際には前記第３の牽引部材を牽引することで前記回転部材を回転させて前記第１の牽引部材を牽引し、もって前記ロッドを進出させ、規制対象の窓側の干渉体に干渉する位置まで進出させ、その進出位置で前記保持手段によって前記ロッドを保持させてロック状態とするとともに、ロックを解除する際には前記第２の牽引部材を牽引して前記第２のレバーを動作させ前記保持手段による保持状態を解除させ前記付勢部材によって前記ロッドを進出前の位置に復帰させるようにしたことを特徴とする窓用ロック装置。
【請求項５】
前記ロッドは収容筒内に収容され、前記第２のレバーは同収容筒に形成された透孔から同収容筒外部に露出されていることを特徴とする請求項１〜４のいずれかに記載の窓用ロック装置。
【請求項６】
前記保持手段は前記第２のレバーの回動動作に基づいて揺動して前記ロッドに干渉して前記ロッドを後退不能とする第１の位置と前記ロッドに干渉しない第２の位置とを取りうる揺動コマであって、前記第２の牽引部材を牽引することで、第１の位置にある前記揺動コマを第２の位置に変位させるようにしたことを特徴とする請求項１〜５のいずれかに記載の窓用ロック装置。
【請求項７】
第２の位置にある前記揺動コマを第１の位置方向に付勢する第２の付勢部材を設けたことを特徴とする請求項６に記載の窓用ロック装置。
【請求項８】
前記第２の牽引部材の牽引に連動して入り切りされるスイッチを有する報知手段を備えていることを特徴とする請求項１〜７のいずれかに記載の窓用ロック装置。
【請求項９】
前記ロッドの進退に伴う変位を検出する検出手段と、同検出手段の前記ロッドの後退状態を検出することに基づいて報知する報知手段とを備えていることを特徴とする請求項１〜７のいずれかに記載の窓用ロック装置。
【請求項１０】
前記第１及び第２の牽引部材の少なくともいずれか一方は可撓性のある綱部材であることを特徴とする請求項１〜８のいずれかに記載の窓用ロック装置。
【考案の詳細な説明】
【技術分野】
【０００１】
本考案は、窓、あるいは窓に隣接した位置に取り付けて左右方向にスライド移動して開閉させる窓の開放方向への移動を規制するために使用される窓用ロック装置に関するものである。
【背景技術】
【０００２】
左右方向にスライド移動して開閉させる窓には通常鍵装置が併設されており、窓を開放させないようにする場合にその鍵装置を使用する。また、窓に併設されている鍵装置だけでは泥棒のような侵入者が窓を割って容易に開錠してしまう場合があるため、別途独立した窓用ロック装置を例えば隣接する窓の間や窓と窓枠の間に設置するようにしている。そのような窓用ロック装置の一例として特許文献１を示す。
【先行技術文献】
【特許文献】
【０００３】
【特許文献１】特開２００７−２３５０６号公報
【考案の概要】
【考案が解決しようとする課題】
【０００４】
しかし、窓用ロック装置を設置する位置が窓の下側寄りであると侵入者が窓を割ってこの窓用ロック装置を取り外してしまう可能性が高い。
そのため、窓用ロック装置を侵入者が窓を割っても手の届きにくいようにできるだけ窓の上側寄りに設置することが望ましい。しかし、そのような窓の上側寄りは室内にいる者（ユーザー）にとってもやはり手が届きにくく、例えば夜間にロック状態とし、朝になってロックを解除するというという操作をする際に椅子や脚立に立って高い位置でそれらの操作をしなければならないため面倒であった。
本考案の目的とするところは、窓、あるいは窓に隣接した高い位置に取り付けても、低い位置からでも容易に操作できる窓用ロック装置を提供することにある。
【課題を解決するための手段】
【０００５】
上記の目的を達成するための第１の手段として、左右方向にスライド移動して開閉させる窓の開放方向への移動を規制するために使用され、規制対象の窓の上部近傍に設置される窓用ロック装置において、ロッドと、設置位置に設置された状態で、前記規制対象の窓に対して前記ロッドを進退可能に支持する支持手段と、前記ロッドの側面位置にその基部が固着された第１のレバーと、前記第１のレバーに連結され、前記ロッドの進出方向に沿って延出される長尺状の第１の牽引部材と、前記第１の牽引部材の延出方向を下方に方向転換させる方向転換手段と、前記ロッドを進出位置で保持する保持手段と、前記保持手段による保持状態を解除させるための第２のレバーと、前記第２のレバーに連結され、下方に牽引することで前記第２のレバーを動作させて進出位置で保持状態にある前記ロッドの前記保持手段を解除させる長尺状の第２の牽引部材と、進出させた前記ロッドによって付勢力を付与され前記保持手段の解除に伴って得られた付勢力によって前記ロッドを進出前の位置に復帰させる付勢部材とを備え、ロックを行う際には前記第１の牽引部材を牽引して前記ロッドを進出させ、規制対象の窓側の干渉体に干渉する位置まで進出させ、その進出位置で前記保持手段によって前記ロッドを保持させてロック状態とするとともに、ロックを解除する際には前記第２の牽引部材を牽引して前記第２のレバーを動作させ前記保持手段による保持状態を解除させ前記付勢部材によって前記ロッドを進出前の位置に復帰させるようにしたことをその要旨とする。
このような構成とすると、窓用ロック装置を規制対象の窓の上部位置に対して対向する設置位置に設置した状態で、下垂される第１の牽引部材を牽引すればロッドが規制対象の窓側の干渉体に干渉する位置に進出されて、その位置で保持されて窓が開放されないようロックされることとなる。一方、第２の牽引部材を牽引すれば、保持状態にあったロッドは保持状態が開放され規制対象の窓側の干渉体に干渉しない位置に後退し、ロックは解除される。つまり、第１及び第２の牽引部材を牽引する操作を交互に行うことで高い位置にある窓用ロック装置のロックとロック解除を行うことができることとなる。
設置位置については窓枠に取り付けても、窓を包囲する縦枠や横枠に取り付けても本発明の目的から窓の上部寄りであればいずれに取り付けても構わない。
【０００６】
上記において、前記方向転換手段は前記第１の牽引部材を巻回させて同第１の牽引部材の延出方向を下方に方向転換させるための外側に凸な湾曲部を有する方向転換部材であることが望ましい。これによって、第１の牽引部材を牽引した際にスムーズに牽引できるからである。
更に上記において、前記方向転換部材は回転体であることが望ましい。これによって、第１の牽引部材を牽引した際に更にスムーズに牽引できるからである。
【０００７】
また、第２の手段として、水タンクと、左右方向にスライド移動して開閉させる窓の開放方向への移動を規制するために使用され、規制対象の窓の上部近傍に設置される窓用ロック装置において、ロッドと、設置位置に設置された状態で、前記規制対象の窓に対して前記ロッドを進退可能に支持する支持手段と、前記ロッドの側面位置にその基部が固着された第１のレバーと、前記第１のレバーに連結され、前記ロッドの進出方向に沿って延出される長尺状の第１の牽引部材と、前記第１の牽引部材が連結される回転部材と、前記回転部材に連結され、同回転部材の回転中心よりも前記ロッドの進出方向側に偏倚した位置に連結され下垂される長尺状の第３の牽引部材と、前記ロッドを進出位置で保持する保持手段と、前記保持手段による保持状態を解除させるための第２のレバーと、前記第２のレバーに連結され、下方に牽引することで前記第２のレバーを動作させて進出位置で保持状態にある前記ロッドの前記保持手段を解除させる長尺状の第２の牽引部材と、進出させた前記ロッドによって付勢力を付与され前記保持手段の解除に伴って得られた付勢力によって前記ロッドを進出前の位置に復帰させる付勢部材とを備え、ロックを行う際には前記第３の牽引部材を牽引することで前記回転部材を回転させて前記第１の牽引部材を牽引し、もって前記ロッドを進出させ、規制対象の窓側の干渉体に干渉する位置まで進出させ、その進出位置で前記保持手段によって前記ロッドを保持させてロック状態とするとともに、ロックを解除する際には前記第２の牽引部材を牽引して前記第２のレバーを動作させ前記保持手段による保持状態を解除させ前記付勢部材によって前記ロッドを進出前の位置に復帰させるようにしたことをその要旨とする。
このような構成とすると、窓用ロック装置を規制対象の窓の上部位置に対して対向する設置位置に設置した状態で、下垂される第３の牽引部材を牽引すればロッドが規制対象の窓側の干渉体に干渉する位置に進出されて、その位置で保持されて窓が開放されないようロックされることとなる。一方、第２の牽引部材を牽引すれば、保持状態にあったロッドは保持状態が開放され規制対象の窓側の干渉体に干渉しない位置に後退し、ロックは解除される。つまり、第２及び第３の牽引部材を牽引する操作を交互に行うことで高い位置にある窓用ロック装置のロックとロック解除を行うことができることとなる。設置位置については上記と同様である。第２の手段は第１の手段と異なり第１の牽引部材を方向転換させずに他の部材を介して第１の牽引部材を牽引するというものである。
【０００８】
上記において、前記ロッドは収容筒内に収容され、前記第２のレバーは同収容筒に形成された透孔から同収容筒外部に露出されていることが望ましい。ロッドが汚れず進退する際に不具合が生じにくくなるためである。
また、上記において、前記保持手段は前記第２のレバーの回動動作に基づいて揺動して前記ロッドに干渉して前記ロッドを後退不能とする第１の位置と前記ロッドに干渉しない第２の位置とを取りうる揺動コマであって、前記第２の牽引部材を牽引することで、第１の位置にある前記揺動コマを第２の位置に変位させるようにすることが望ましい。
これは保持手段の具体的構成である。このような構成とすることで単純な構成でロッドを進出位置で保持させることが可能となる。尚、この構成は一例である。
また、第２の位置にある前記揺動コマを第１の位置方向に付勢する第２の付勢部材を設けることが望ましい。これによって、第２の位置にある揺動コマを速やかに第１の位置方向に復帰させることが可能となり、ユーザーは牽引部材の操作以外の余分な操作をする必要がなくなる。
【０００９】
また、上記において、前記第２の牽引部材の牽引に連動して入り切りされるスイッチを有する報知手段を備えていることが望ましい。これによって、もし侵入者が窓を割ってロックを解除するために第２の牽引部材を牽引したとすると、報知手段が作動することとなるため、侵入者は容易にロックを外すことはできず、また、外した場合には侵入が知られてしまうため防犯性が非常に高まる。
また、上記において、前記ロッドの進退に伴う変位を検出する検出手段と、同検出手段の前記ロッドの後退状態を検出することに基づいて報知する報知手段とを備えるようにすることが望ましい。
これによってロックが解除されロッドが後退した場合には報知手段が作動することとなるため、侵入者は容易にロックを外すことはできず、また、外した場合には侵入が知られてしまうため防犯性が非常に高まる。
ここに「報知手段」としては音声報知だけでなく光や振動による報知手段も含む概念である。
また、上記において、前記第１及び第２の牽引部材の少なくともいずれか一方は可撓性のある綱部材であることが望ましい。もちろん、可撓性のない棒状の部材を一部あるいは全部に使用することを排除するものではない。
【考案の効果】
【００１０】
上記各考案では、ユーザーは低い位置から牽引部材を操作して高い位置に設置した窓用ロック装置のロックとロック解除を行うことができることとなる。
【図面の簡単な説明】
【００１１】
【図１】本考案の実施の形態１の窓用ロック装置の正面図。
【図２】同じ実施の形態１の窓用ロック装置の側面図。
【図３】（ａ）はロッドが後退した状態のロック装置本体の構造を説明する部分断面図、（ｂ）はロッドが進出した状態のロック装置本体の構造を説明する部分断面図。
【図４】（ａ）は窓用ロック装置を窓に取り付けた非ロック状態の説明図、（ｂ）は同じくロック状態の説明図。
【図５】揺動コマの斜視図。
【図６】ロッドの進退に作用する揺動コマ及び第１のコイルばねの構成を説明する説明図であって、（ａ）はロッドが後退できずに保持されている状態、（ｂ）は後退可能な状態。
【図７】（ａ）及び（ｂ）は実施の形態２の窓用ロック装置にリミットスイッチ及びブザーを併設した要部説明図。
【図８】実施の形態３の窓用ロック装置の要部説明図。
【考案を実施するための最良の形態】
【００１２】
以下、本考案の被介助者の窓用ロック装置を具体化した実施の形態を図面に基づいて説明する。
（実施の形態１）
図１〜図４に示すように、実施の形態１の窓用ロック装置は、合金製のベースプレート１上に固着されたロック装置本体３を備えている。本実施の形態１の窓用ロック装置ではバッテリーケース４及びロータリースイッチ５が窓用ロック装置とともにベースプレート１上に併設されている。窓用ロック装置は別体のブザー６を備えている。
ロック装置本体３は合金製の円筒形形状の収容筒９と、収容筒９の後方に形成された直方体形状の合金製の小ケース部１０を備えている。小ケース部１０の後端には円形形状の透孔１０ａが形成されている。ロック装置本体３は収容筒９において後方のベースプレート１に溶接にて固着されている。収容筒９の前端寄り位置には下方に向かって合金製の軸受けブラケット１１が溶接にて固着されている。図２に示すように、軸受けブラケット１１は前後一対の軸受けプレート１２を備えており、両軸受けプレート１２間に挿通された回動軸１３によってプーリー１４が回転可能に支持されている。
【００１３】
収容筒９の前端には合金製のキャップ１５が固着されている。図３（ａ）及び（ｂ）に示すように、キャップ１５には軸方向中央に前後方向に延びる断面円形のトンネル状透孔１５ａが形成されている。収容筒９の下面位置には収容筒９の長手方向に沿って長孔１６が形成されている。キャップ１５のトンネル状透孔１５ａと前記小ケース部１０の透孔１０ａとによって合金製のロッド１７が前後方向に進退可能に支持されている。ロッド１７の側面下方位置には第１のレバー１８が固着されている。第１のレバー１８の下端には眼鏡フレーム状の取り付け孔１８ａが形成されている。第１のレバー１８は前記長孔１６から外方に露出されている。取り付け孔１８ａには第１の牽引部材としての第１の編み上げ紐１９の基部が連結され、キャップ１５方向に向かって略水平方向に延出され、プーリー１４の外周に巻回されて下方に向かって約９０度方向転換させられ（つまり下垂させられ）ている。第１の編み上げ紐１９は下方領域においてプラスチック製の可撓性の保護カバー２０によって包囲されている。
図３（ａ）及び（ｂ）に示すように、ロッド１７の外周であって、キャップ１５の後端と第１のレバー１８の間には付勢部材としての第１のコイルばね２１が圧縮状態で配設されている。つまり、ロッド１７はキャップ１５を基準に常に第１のコイルばね２１によって後方に向かって付勢されることとなる。
【００１４】
小ケース部１０内には揺動コマ２２が配設されている。図３（ａ）及び（ｂ）並びに図５に示すように、揺動コマ２２は板状の揺動プレート２３と揺動プレート２３の下部位置において揺動プレート２３と一体的に構成された円筒部２４とから構成されている。揺動プレート２３の上部寄り位置には前後方向に連通した透孔２３ａが形成されている。図３（ａ）及び（ｂ）に示すように、ロッド１７は揺動プレート２３の透孔２３ａに遊嵌されている。ロッド１７の外周であって、第１のレバー１８と揺動プレート２３の間には第２の付勢部材としての第２のコイルばね２５が圧縮状態で配設されている。つまり、揺動プレート２３は常に図３において時計回り方向に第２のコイルばね２５によって付勢されることとなる。
円筒部２４内には第２のレバー２６の基部が嵌合されている。第２のレバー２６は小ケース部１０前面の透孔２７から小ケース部１０の外方に露出させられている。第２のレバー２６は全体としてＬ字状（図４がもっともわかりやすい）をなす合金製棒体であって、その先端に眼鏡フレーム状の取り付け孔２６ａが形成されている。第２のレバー２６は透孔２７からまず前方に向かって延出された後、屈曲して平面視においてロッド１７の延出方向と平行となる方向に延出されている。取り付け孔２６ａには緩衝部材としてのコイルばね２８が連結され、コイルばね２８の下部位置には第２の牽引部材としての第２の編み上げ紐２９の基部が連結されている。第１の編み上げ紐２９は下方領域においてプラスチック製の可撓性の保護カバー３０によって包囲されている。
【００１５】
ベースプレート１上であって収容筒９の下方位置にはバッテリーケース４が配設されている。バッテリーケース４内には図示しない乾電池が収容されている。ベースプレート１上であってバッテリーケース４の下方位置にはロータリースイッチ５が配設されている。ロータリースイッチ５は牽引用コード３１を下方へ牽引することで図示しない回転子を回転させることができ、牽引を繰り返すことで回転子上の端子の接触状態を変更させて通電と非通電の状態を生成できるスイッチング装置である。本実施の形態１ではバッテリーケース４内のマイナス電極からケーブルコード３３が引き込まれており、マイナス側電極の入り切りが牽引用コード３１の牽引によって可能とされている。牽引用コード３１から延長コード３２が第１の編み上げ紐２９方向に延出されて、一体化されて保護カバー３０によって包囲されている。
報知手段としてのブザー６にはバッテリーケース４内のプラス側電極からケーブルコード３４が引き込まれており、マイナス電源側はロータリースイッチ５の図示しない端子からケーブルコード３５が引き込まれている。ブザー６はベースプレート１から離間して別体としてケーブルコードが届く任意の位置に設置することが可能である。
【００１６】
次にこのように構成した窓用ロック装置の使用方法（作用）について説明する。
図４（ａ）及び（ｂ）に示すように、本実施の形態１では左右すれ違い可能な一対のサッシ窓の内側の窓Ｗ１の縦サッシバー４０の端面４０ａの上部位置に窓用ロック装置を取り付けるものとする。図示はしないが、ブザー６は同じ端面４０ａの窓用ロック装置の下方位置に取り付けるものとする。ここではロッド１７の進出によって規制する側の窓は外側の窓Ｗ２であるが、内側の窓Ｗ１に窓用ロック装置を取り付けているため、内側の窓Ｗ１と外側の窓Ｗ２が同時に規制されることとなる。
さて、窓用ロック装置は取り付け状態でロッド１７の先端が外側の窓Ｗ２の横サッシバー４１に正対するように配置される。内側の窓Ｗ１と外側の窓Ｗ２を閉鎖させた状態で外側の窓Ｗ２の横サッシバー４１には干渉体としての係合プレート４２を貼着する。係合プレート４２はロッド１７を進出させた際に係合プレート４２よりも内側位置に配置されるようにセットする。
【００１７】
まず、このように窓用ロック装置等を配置させた状態で、初期状態で非ロック状態にある窓用ロック装置を作動させて両窓Ｗ１，Ｗ２を開放させないようにロック状態とする場合を説明する。
ユーザーは図３（ａ）のようにロッド１７がもっとも後退した位置（第１のレバー１８が長孔１６の後端に当接した位置）にある窓用ロック装置の第１の編み上げ紐１９を下方に牽引するようにする。すると、第１の編み上げ紐１９の牽引に伴って第１のレバー１８を介してロッド１７が図３（ｂ）のように図上左方、つまり前方方向に進出することとなる。第１の編み上げ紐１９を引き続けロッド１７を係合プレート４２に十分干渉する位置まで進出させることでロックが完了する。
第１の編み上げ紐１９を牽引することで進出するロッド１７は任意の位置で保持されることとなるが、それは揺動プレート２３の作用によるものである。この保持作用について説明する。図６（ａ）に示すように、ロッド１７に対して揺動プレート２３は第２のコイルばね２５によって付勢された状態で若干上方側が後傾して配置されている。そのため、揺動プレート２３の透孔２３ａの内周面の上下寄りの角部ｐ１，ｐ２（特に下方位置の角部ｐ２）が第２のコイルばね２５の付勢力によってロッド１７に食い込むように当接されることとなる。そのため、一旦進出させられたロッド１７はその位置で後退できずに保持されることとなる。
【００１８】
次に、ロックを解除する場合について説明する。
ユーザーはロッド１７が進出状態で保持されている窓用ロック装置の第２の編み上げ紐２９を牽引する。この操作によって第２のレバー２６が回転トルクを与えられ図１において反時計回り方向に回動する。この動作に連動して揺動コマ２２も回動することとなる。図６（ｂ）に示すように、この動作に伴って一旦揺動プレート２３が透孔２３ａの内周面の上下寄りの角部ｐ１，ｐ２の食い込みが解除される位置に移動させられるため、ロッド１７は第１のコイルばね２１の付勢力によって（圧縮前から第１のコイルばね２１は付勢力を有している）もっとも後退した位置に復帰する。また、反時計回り方向に回動させられた第２のレバー２６及び揺動コマ２２は第２のコイルばね２５の付勢力によって変位して回動前の位置に復帰する（図６（ａ）の状態）。
以後は、第１の編み上げ紐１９と第２の編み上げ紐２９を交互に牽引することで窓用ロック装置をロック状態と非ロック状態とすることができる。
【００１９】
ロックを解除する際に第１の編み上げ紐１９を牽引すると同時に延長コード３２を介してロータリースイッチ５の牽引用コード３１が牽引され、初期状態で非通電状態のブザー６が通電状態となって警報音を発することとなる。ユーザーは第２の編み上げ紐２９を第１の編み上げ紐１９を牽引せずに再度第２の編み上げ紐２９を牽引することで（つまり、第２の編み上げ紐２９のみの空牽引動作を行う）ロータリースイッチ５を再度非通電状態とさせることで警報音を停止させることができる。この際に、第２の編み上げ紐２９の上端位置にはコイルばね２８を設けているため、牽引用コード３１の引き代と第２の編み上げ紐２９の引き代に若干の差があってもその差を調節することが可能となっている。
【００２０】
上記のように構成することで本実施の形態１の窓用ロック装置では次のような効果を奏する。
（１）高い位置に窓用ロック装置を設置しても第１の編み上げ紐１９と第２の編み上げ紐２９を牽引操作することで、ユーザーは低い位置にいても窓用ロック装置をロック状態と非ロック状態とすることが可能となる。
（２）ロッド１７は第１の編み上げ紐１９の牽引量に応じた進出位置で保持できるため、窓用ロック装置の取り付け位置や係合プレート４２の厚みがそれほど厳密でなくとも使用が可能である。
（３）侵入者が窓ガラスを割って第２の編み上げ紐２９を牽引してロックを解除すると、ロータリースイッチ５の牽引用コード３１も同時に牽引されてブザー６が警報音を発するため、防犯効果が大きい。
【００２１】
（実施の形態２）
図７（ａ）及び（ｂ）に基づいて実施の形態２について説明する。実施の形態２では実施の形態１と同じロック装置本体３を使用する。実施の形態２では報知手段としてのブザー４５と検出手段としてのリミットスイッチ４６を備えている。従って、実施の形態１と異なり、構成としてコイルばね２８は不要で第２のレバー２６には直接第２の編み上げ紐２９が連結されている。ブザー４５及びリミットスイッチ４６は窓用ロック装置とは別体で任意の位置に設置されるものとする。ブザー４５は内部に図示しないコントローラ及び電源４８を備えている。コントローラはリミットスイッチ４６からの検出信号の出力に基づいて警報音を発生させるシーケンス回路を備えている。図７（ａ）及び（ｂ）に示すように、リミットスイッチ４６は小ケース部１０の後方上部位置の検出アーム４７がロッド１７に干渉する位置に設置される。リミットスイッチ４６は検出アーム４７を備えており、検出アーム４７に対する物理的な押動動作によって検出信号を出力する。リミットスイッチ４６はケーブル４９によってブザー４５に接続されている。
第１の編み上げ紐１９が牽引されてロッド１７が進出し、ロック状態とされた際にはロッド１７と検出アーム４７とは干渉せず（図７（ａ）の状態）、第２の編み上げ紐２９が牽引されて非ロック状態とされてロッド１７が後退すると検出アーム４７を押動する（図７（ｂ）の状態）。検出アーム４７が押動されることによって出力される検出信号に基づいてブザー４５のコントローラは警報音を発生させる。
このような構成とすることによって、上記実施の形態１の（１）（２）と同様の効果に加え、侵入者が窓ガラスを割って第２の編み上げ紐２９を牽引してロックを解除すると、後退するロッド１７によってリミットスイッチ４６が作動してブザー６が警報音を発するため、防犯効果が大きい。
【００２２】
（実施の形態３）
図８に基づいて実施の形態３について説明する。実施の形態３は実施の形態１及び２のバリエーションである。実施の形態１及び２では第１の編み上げ紐１９をプーリー１４の外周に巻回させ方向転換させて下垂させるようにおしていたが、実施の形態３では第１の編み上げ紐１９を方向転換させずに他の部材を介して牽引するというものである。図示において実施の形態１及び２と共通する構成については共通する符号を付し説明は省略する。
図８に示すように、実施の形態３のロック装置本体５０は実施の形態１及び２と異なりプーリー１４を備えておらず、その代わりに回転部材としての回転プレート５１を備えている。回転プレート５１は軸受けブラケット５２によって支持された回動軸５３によって支持されている。第１の編み上げ紐１９の先端は回転プレート５１の第１のレバー１８寄り上部に連結されている。第３の牽引部材としての第３の編み上げ紐５５の基部が回転プレート５１の中心を挟んで第１の編み上げ紐１９の連結位置と略対称となる十分引き代のある位置に連結されて下垂されている。
このような構成のロック装置本体５０では第３の編み上げ紐５５を牽引することで回転プレート５１は図上矢印方向に回転し、回転プレート５１の回転に伴って第１の編み上げ紐１９も牽引され、第１の編み上げ紐１９の牽引に伴って第１のレバー１８を介してロッド１７が進出することとなる。ロッド１７の後退操作については実施の形態１及び２と同様である。
このような構成とすることで実施の形態３の窓用ロック装置は上記本実施の形態１又は２と同様の効果を奏する。
【００２３】
尚、この考案は、次のように変更して具体化することも可能である。
・内側の窓Ｗ１に取り付けたが、取り付けられない場合には窓が取り付けられる縦枠や横枠に取り付けるようにしてもよい。
・上記窓用ロック装置は一例であって、他の態様で実施することは自由である。
・上記実施の形態２では検出手段としてリミットスイッチ４６を使用したが、例えば磁気センサや光センサ等の他の検出手段を使用してもよい。
・牽引部材として編み上げ紐以外の部材を使用することも自由である。例えば可撓性のない部材であってもよい。また、種類の異なる牽引部材を組み合わせてもよい。
・実施の形態３において回転プレート５１に対する第１の編み上げ紐１９と第３の編み上げ紐５５の連結位置は適宜変更可能である。
・その他、本考案の趣旨を逸脱しない態様で実施することは自由である。
【符号の説明】
【００２４】
１０…支持手段としての小ケース部、１４…方向転換手段としてのプーリー、１５…支持手段としてのキャップ、１７…ロッド、１８…第１のレバー、１９…第１の牽引部材としての第１の編み上げ紐、２１…付勢部材としての第１のコイルばね、２３…保持手段としての揺動プレート、２６…第２のレバー、２９…第２の牽引部材としての第２の編み上げ紐。
【図１】
0003173964.tif 000003
【図２】
0003173964.tif 000004
【図３】
0003173964.tif 000005
【図４】
0003173964.tif 000006
【図５】
0003173964.tif 000007
【図６】
0003173964.tif 000008
【図７】
0003173964.tif 000009
【図８】
0003173964.tif 000010